(57)【要約】【課題】パチスロ機の規定、ゲーム性、大当り確率等を変更すること無く、確実に不正行為を防ぐ。【解決手段】パチスロ機本体におけるスタートレバーの動作信号の中にあっての入賞決定に必要な信号を、マイコン制御により人体では感知することが困難な時間で不規則に遅らせ、その時間の経過によって規則的に並んでいる入賞情報配列を不規則に変換するようにしたことで、不正道具を無効にする。【選択図】  図５
2004313666.tif 000002
【特許請求の範囲】
【請求項１】
パチスロ機におけるスタートレバーの動作信号の中にあっての入賞決定に必要な信号を、マイコン制御により人体では感知することが困難な時間で不規則に遅らせ、その時間の経過によって規則的に並んでいる入賞情報配列を不規則に変換するようにしたことを特徴とするパチスロ機の不正防止システム。
【請求項２】
パチスロ機のスタートレバー側のコネクター受けから中継基
板側のコネクター受け間に介在する接続ケーブルの構成を、入賞決定を制御するマイコンを搭載した回路基板とこれに接続の電源線と接地線及びレバーの動作信号を伝達する入力線と出力線を備えたケーブルユニットとしてなることを特徴とするパチスロ機の不正防止装置。
【発明の詳細な説明】
【０００１】
【発明の属する技術分野】
この発明はパチスロ機における入賞決定の不正を防ぐパチスロ機の不正防止システム及びその装置に関するものである。
【０００２】
【従来の技術】
従来、遊技機であるパチンコ機にあっては、不正行為となる体感機使用等に対する不正防止を図るためのシステムを有したものがある（例えば、特許文献１参照。）。この場合、不正としては体感機等の使用者が所定の入賞決定処理手段に一定の時間の周期が存在するところを利用するものである。しかし、パチスロ機における入賞決定処理の周期の時間がパチンコ機に比してはるかに短い時間で、数ｍｍ／ｓｅｃ程度であるため、人体でそのタイミングを特定することが不可能な事から、周期に一定の規則性をもたせたものが多かった。
【０００３】
そこで、人体ではなく不正電波や器具等を用いて入力信号を体感機に合わせ正確に発生させる不正道具が出現してきている。これに対しての対策としては、電波感知機をパチスロ機に取付けて不正を知らせる装置等がある（例えば、特許文献２参照。）。
【０００４】
また、電波を使用しない不正道具については、前記周期の一定の時間の幅で信号が連続して入力されると警報が鳴り不正を知らせる装置もある。だが、このときにおいても、パチスロ機ではパチンコ機の様に、不正対策が施してある機種は少なく、現存の機種では不正行為を人為的に発見する以外の対策が無く、且つ完全なる不正発見手段も無い。
【０００５】
そもそも、パチスロ機における入賞決定を行う情報配列としては、例えば図６に示す様に大当りやその他の小当りを決定する時間の幅に情報配列として一定の規則性と周期が存在する形式を採っている。このときの入賞の決定は、図３に示す入力信号グラフにあって、Ｂ地点の様にスタートレバーの動作信号が０ボルトになった地点での情報配列によるものである。しかも、この時図６に示すＦの周期であるＧと、前記Ｂ地点が重なれば大当りになる構成となっている。
【０００６】
そして、この種の情報配列を利用した不正道具としては、その中にあって前記Ｆの周期とほぼ同じ秒数の周期を作り動作スイッチをどの時間で押しても希望の情報配列の時間まで待機させ、そこで前記Ｂ地点の様な信号を出すための動作をしたり、不正電波を発生したりするものである。
【０００７】
【特許文献１】
特開平２００１−１６２０１７号公報
【特許文献２】
特開平２００２−３０６８１６号公報
【０００８】
【本発明が解決しようとする課題】
しかし、従来のパチスロ機に対しての不正防止対策では、不正電波以外の電波をも感知してしまったり、一般の遊戯者が偶然に入賞決定である周期の一定の時間の幅で動作をして誤報が発生してしまったりする可能性があった。この様な誤動作の感知では、遊戯者に不快な気分を与えてしまう結果につながる。
【０００９】
また、電波を使用しない不正道具は、電波感知機を備えても察知せず効果が無いし、一定の入賞情報の周期が連続しない様に通常の遊戯を織り交ぜれば、不正を発見するのは更に困難になる。そしてこれらは設置するのに工事が必要だったりとコストも嵩むものとなる。
【００１０】
本発明は上記実情に鑑み、所定の部品（装置）をパチスロ機に取付け、またはパチスロシステムに組み込むことにより、規定、ゲーム性、大当り確率等を一切変えることなく、上記課題を解決するパチスロ機の不正防止システム及びその装置を提供することを目的としたものである。
【００１１】
【課題を解決するための手段】
本発明は、パチスロ機におけるスタートレバーの動作信号の中にあっての入賞決定に必要な信号を、マイコン制御により人体では感知することが困難な時間で不規則に遅らせ、その時間の経過によって規則的に並んでいる入賞情報配列を不規則に変換するようにしたものである。
【００１２】
また、パチスロ機のスタートレバー側のコネクター受けから中継基板側のコネクター受け間に介在する接続ケーブルの構成を、入賞決定を制御するマイコンを搭載した回路基板とこれに接続の電源線と接地線及びレバーの動作信号を伝達する入力線と出力線を備えケーブルユニットとしてなるものである。
【００１３】
この様に、パチスロ機のスタートレバーの動作信号を利用しマイコン制御となる入賞決定に必要な信号にするものであり、このため今までパチスロ機の入賞情報配列にあって、図６に示す如きＦの周期の一点に図３に示すレバー動作信号のＢ地点のようなスタート信号を集中させているから、逆にスタートレバーからパチスロ機のメイン基板への信号を、所定装置（部品）を付けるだけで伝達することができる。
【００１４】
即ち、図６に示す様に、予め設定しておいたＥの数値のパターンから一つを選択して前記Ｂ地点の信号をＥｓｅｃ遅らせ、図４に示す出力信号グラフのＤの地点で出力するようにする。そして、このＥの値は常に福引形式で不規則に選択するもので、道具を使って一定の周期の一定の地点でスタート信号を出せたとしても、信号を不規則に分散してしまうので、周期から当り等を探し出すことが出来ず、理論上、不正道具の効果は完全に無くなってしまう。
【００１５】
また、パチスロ機への所定装置（部品）を付けた事による影響としては、図６にあってのパターンのＥ１を選択した時、入力Ｂ１が図６での０からＦの範囲で移動すると、出力Ｄ１もＥ１の分だけ遅れてＦの範囲で移動するため、周期の入賞情報配列の始まりの位置は変わるが、大当り確率等はＦ分のＧである。よって、どのパターンも大当たり確率はＦ分のＧである。この事は、他の入賞確率も同じなので、どのパターンを選択しても確率は変わらないことになる。つまり、パチスロ機自体に対する影響は無いものである。
【００１６】
【発明の実施の形態】
以下、本発明のパチスロ機の不正防止システム及びその装置を実施例の図に基づいて説明すれば、次の通りである。
【００１７】
図１乃至図２はパチスロ機のスタートレバー位置に不正防止装置を組み込んでなる不正防止システムを構成する実施例を示す。１は不正防止装置の機能要素である入賞決定信号をマイコン制御するためのマイコンであり、２はこのマイコン１の動作に必要な回路基板２であり、該回路基板２には電源入力端子３と接地用端子４と入力端子５及び出力端子６を備え部品構成とし、勝子の電源入力端子３はスタートレバー側と中継基板側のコネクター７，７を結ぶケーブル２０３を構成する電源線８に接続し、接地端子４は同接地用線９に接続すると共に、入力端子５にはスタート信号用の同入力線１０を、出力端子６にはその同出力線１１を接続してケーブルユニットを構成し、これら前記全体の構成で不正防止装置２０６となり、パチスロ機への組み込み自在な部品構成（後付部品）とし対処するものである。この場合、前記レバー側コネクター７と基板側コネクター７は各メーカー、各機種によって異なるので、機種ごとに対応した構造のものを用いる。
【００１８】
また、回路基板２の回路は、使うマイコンのメーカーによって異なったり、パチスロ機の機種によっても入力信号電圧が異なったりするので、マイコンや作る機種に合わせて組む必要がある。更に、このコネクター７、７はスタートレバー２０１側のコネクター受け２０２や中継基板２０５側のコネクター受け２０４に対応するよう同一にすると共に、電源線８、接地用線９、入力線１０、出力線１１の並び順なども各機種に夫々対応させるものである。
【００１９】
また、不正防止装置２０６にコネクター７などを通して必要となる配線は、電源と接地とスタートレバーの動作信号である。その信号をマイコン１が変換して、パチスロ機のメイン基板側へ出力される。信号線は全てパチスロ機本体より取るのだが、電源や接地はスタートレバーの動作信号と共通回路であればどれを使用しても良い。即ち、本発明でマイコンが変換しなければならないのはレバーの動作信号であるので、レバー動作用の電源と接地を利用すれば良いのである。
【００２０】
いまこの作用を説明すると、先ず図２においては本発明の不正防止装置２０６を後付部品としてパチスロ機に取付けた実施例を示すものである。スタートレバー２０１には電源、接地、レバーの動作信号が全て揃っている前記ケーブルユニットとなる不正防止装置２０６を、レバー側コネクター受け２０２と中継基板２０５側のコネクター受け２０４間に接続されているケーブル２０３と差し替える交換をすれば完了する。この場合、機種によっては、レバー２０１用の基板にケーブル２０３が直接ハンダ付けしてあるものがあり、この様な場合はケーブル２０３に部品構成である不正防止装置２０６を継ぎ足す様にして取付ければよい。このとき、レバー側のコネクター７はケーブル２０３の受け用コネクターにする。他にケーブル２０３は、電源、接地、レバー動作信号の３線で無い場合もある。この様なときは、その他の信号線等は配列通りに両端のコネクター７にそのまま接続をする。
【００２１】
ここで、図３に示すグラフはスタートレバー２０１の動作による本実施形態への入力信号を示したものであり、縦軸が電圧で、横軸が時間の経過である。また、図４に示すグラフは図３にあっての信号が本実施形態に入力された時の、マイコン１により変化された出力信号のグラフであり、縦軸、横軸は前記図３と同じである。この図３と図４でＡは入力信号にかかる電圧であるが、機種によって異なるので一定ではない。また、同図Ｂは信号がＡボルトから０ボルトに下がった地点であり、これがスタートレバー２０１の動作開始時の信号である。レバー２０１が動作中はこのまま電圧が０ボルトで維持される。そして、レバー２０１から手を離し、動作が止まると同図Ｃ地点のように電圧がＡボルトまで上がるのである。
【００２２】
更に、図４にあっては、図３に示す入力信号が前記マイコン１のマイコン制御により変換された出力信号を示すグラフであり、信号の変換された所は、入力時にＢ地点だった信号がＥｓｅｃ遅れてＤの地点に移行している所である。このＢの信号を変換する理由は、パチスロ機の時間により規則的に変化していく入賞情報配列の位置決定を、このレバー動作信号の中のＢ地点でのＡボルトから０ボルトに下がる信号の時間の位置で行っているからである。
【００２３】
ここにおいて、図５に示す本実施形態においての、マイコンで入出力の信号変換を行うシステムのフローチャートについて説明すると、先ず信号変換の工程で変換するステップ５０１の入力信号はレバーの動作信号であり、これらはステップ５０２，５０５に示す様に４種類の信号に分類することができ、変換が必要な信号は、その中のＡボルトから０ボルトに下がるステップ５０２の信号だけである。そしてステップ５０２の信号においては、同時にステップ５０３でＥの数値を福引形式で不規則に選択し、それにより決定されたＥｓｅｃの間、出力信号をＡボルトで待機させる。そして、Ｅｓｅｃ後に０ボルトに下がる信号を出力する。以上が本実施形態においてのマイコンによる信号変換のシステムである。
【００２４】
また、図５に示すフローチャートのステップ５０３において、Ｅの数値とそのパターン数の設定についてであるが、Ｅは予め設定しておいた数パターンの数値の中から常に不規則に一つを選択した値であり、不定値である。また、Ｅｓｅｃの時間の範囲では数ｍｍ／ｓｅｃから数１０ｍｍ／ｓｅｃ位の間で設定した方が良い。つまり、Ｅの値は数ｍｍから数１０ｍｍの範囲が適当である。この場合、パターン数は５パターンもあれば十分であるが、それ以上は何パターンあっても良い。
【００２５】
これらの理由としては、図６に示すパチスロ機の入賞情報配列との関係にあって、図中Ｆが示している様に、不正を行うことが可能なパチスロ機の入賞情報配列は規則的であり、配列パターンが一周するために要する時間は数ｍｍ／ｓｅｃ程度、又はそれ前後で一定であり、Ｆの中での大当り入賞決定の時間の幅Ｇは周期Ｆの数百分の一となる。よって、出力のＥの範囲が大当り入賞決定の時間の幅Ｇよりも小さいと、不正により位置を特定することが可能になってしまう恐れがあり、本実施形態による効果があまり得られない。また、Ｅの値が大きすぎると、人体でも感知可能な時間の遅れがレバー動作に起こり、本実施形態の不正防止に関しては効果があるが、一般遊戯者へレバー動作の違和感を感じさせてしまう可能性が出てくる。
【００２６】
そして、Ｅのパターン設定数については、多数である程Ｄ地点の移行パターンが複雑化されるが、仮に１０パターンもあれば不正による位置の特定は不可能になるので、多すぎても効果自体は変わらないのである。逆にＥが２パターンしかなければ、その位置の特定ができる可能性が出てきてしまう。
【００２７】
以上の理由により、Ｅの値とパターン数は適当な範囲で数値を設定する必要がある。また、これらの実施形態においてＤ地点は不規則に分散させればよいため、Ｅｓｅｃ遅れた地点の入賞情報配列の位置は何処の地点でもかまわない。これらの事から本実施形態によれば、マイコンによる設定値やその他のプログラム自体は、パチスロ機の機種ごとに専用で製作する必要が無く、接続用部材のみをそれらに合ったものに変更すれば良い。これにより、どの機種にも迅速に対応出来、共通プログラムですむので製作コストを抑え、安価で提供することができるようになる。
【００２８】
更に、図６においては、同実施形態とパチスロ機の入賞情報配列の周期についての関係を例として示した関係図である。横軸は時間の経過を表している。図中のＦはパチスロ機の大当り等の入賞情報配列が一周するのに要する周期の時間を示しており、これは常に一定で不変である。また、入賞情報配列にはその配列に規則性がある。そして、入力Ｂ１は、レバー動作信号で前記図５のステップ５０２の信号が入った地点が入賞情報配列のＧの始まりの位置からＦだけ移動した時の入賞情報配列のパターンである。出力Ｄ１からは、入力Ｂ１が入力された時の本実施形態からの出力地点での入賞情報配列で入力Ｂ１よりＥの分遅れた地点から始まりＦだけ移動している。
【００２９】
これにより入賞情報配列が出力時には他の地点に移行されるため、Ｅのパターンが多ければ不正者自身が周期のどの位置で信号を送っているのか特定するのは不可能になる。しかし、パターンＥ１だけを見た場合、周期の始まる位置は移動するが、入賞配列自体は変わらないので大当り確率はＦ分のＧとなり入力Ｂ１の時と同じになる。つまり、パチスロ機の入賞確率は本実施形態を取付けても変わらない。
【００３０】
この様に、本実施形態によればＥのパターンを増やし、不規則に選択することによって、周期も不規則に変化する。これにより不正道具を完全に無効にすることができるようになる。また、一般遊戯者は今までどおり、通常の遊戯ができる。
【００３１】
【発明の効果】
上述の様に、本発明のパチスロ機の不正防止システム及びその装置は、スタートレバーの信号をマイコン制御により不規則に遅らせ入賞情報配列を不規則に変換するだけであり、従来の警報により不正の発見をするシステムとは異なり、これらの道具を完全に無効にでき、発見の必要も無いので誤報も起こらない。即ち、規定やゲーム性を一切変えることなく、周期を利用した不正電波や体感機等を完全に無効にすることができるので、遊戯者を必要以上の監視、または誤報による注意などを行い遊戯者に不快な思いをさせることが無く、公平な遊戯が提供できる。
【００３２】
しかも、このパチスロ機に対する不正防止は予めシステムとして組み込み自在であると共に、既存のパチスロ機にあっても、スタートレバーと中継基板間に介在するケーブルを、入賞決定の時間をマイコン制御で不規則にするマイコン付き回路基板を備えたケーブルユニットとして差し替える構成をとることで簡単に不正防止ができる。
【００３３】
また、マイコン制御のプログラムを殆どの機種に共通で実施できる様にすることで、製作コストを抑え、安価で確実な不正防止策となる等の効果を奏する。
【図面の簡単な説明】
【図１】本発明のパチスロ機の不正防止システムになる入賞情報配列を不規則にする不正防止装置の実施例を示す説明図である。
【図２】同既存パチスロ機の後付部品として取付ける説明図である。
【図３】本実施形態に必要な入力信号のレバー動作信号を示すグラフである。
【図４】図３の入力信号による本実施形態の出力信号を示すグラフである。
【図５】本実施形態の信号変換システムのフローチャートである。
【図６】同パチスロ機の入賞情報配列との関係を示す説明図である。
【符号の説明】
１    マイコン
２    １を動かすための回路基板
３    電源端子
４    接地用端子
５    入力端子
６    出力端子
７    各機種対応のコネクター
８    電源線
９    接地用線
１０  本発明部品へのレバー動作信号の入力線
１１  本発明部品によるパチスロ機本体基板への出力信号線
２０１  パチスロ機のスタートレバー
２０２  レバー側コネクター受け
２０３  コネクター付きケーブル
２０４  中継基板側コネクター受け
２０５  メイン基板への信号線を中継する中継基板
２０６  ケーブルユニットとなる不正防止装置
Ａ    スタートレバー動作信号の電圧の値
Ｂ    スタートレバーの動作開始により電圧が下がった地点
Ｂ１  図６でのレバー動作開始の信号がはいった範囲
Ｃ    スタートレバーの停止により電圧が上がった地点
Ｄ    入力時にＢ地点だった信号が変換されて出力された地点
Ｄ１  図６でＢ１の入力範囲で、Ｅ１ｓｅｃ遅れた出力範囲
Ｄ２  図６でＢ１の入力範囲で、Ｅ２ｓｅｃ遅れた出力範囲
Ｄ３  図６でＢ１の入力範囲で、Ｅ３ｓｅｃ遅れた出力範囲
Ｄ４  図６でＢ１の入力範囲で、Ｅ４ｓｅｃ遅れた出力範囲
Ｅ    設定された数パターンを福引形式で選択した値
Ｅ１  Ｂ地点の信号をＤ地点に遅らす時間の値の中のパターン１
Ｅ２  Ｂ地点の信号をＤ地点に遅らす時間の値の中のパターン２
Ｅ３  Ｂ地点の信号をＤ地点に遅らす時間の値の中のパターン３
Ｅ４  Ｂ地点の信号をＤ地点に遅らす時間の値の中のパターン４
Ｆ    パチスロ機の入賞情報配列が一周する一定の時間
Ｇ    Ｆの中での大当り入賞を決定する時間の範囲
Ｈ    Ｆの中でＧ以外の小当り入賞を決定する時間の範囲
Ｉ    Ｆの中で無入賞を決定する時間の範囲
【図１】
2004313666.tif 000003
【図２】
2004313666.tif 000004
【図３】
2004313666.tif 000005
【図４】
2004313666.tif 000006
【図５】
2004313666.tif 000007
【図６】
2004313666.tif 000008